(57)【要約】  【課題】  電子掲示板に文書データを掲示する際に、特定の閲覧依頼先に対して前記文書データの閲覧依頼通知を送信し、希望する相手の確実な閲覧を図ることができる通信装置を提供する。  【解決手段】  文書データ（画データ）を蓄積する蓄積部２４を備え、掲示が指示された文書データの閲覧を受付ける通信装置１０において、掲示が指示された文書データの閲覧依頼先をＬＡＮインタフェイス２０で受付け、受付けた閲覧依頼先にＬＡＮインタフェイス２０から閲覧依頼通知を送信する。掲示が指示された文書データの閲覧は、閲覧依頼通知が送信された閲覧依頼先及び送信されない非閲覧依頼先の両方から受付ける。【選択図】      図２
2005151246.tif 000002
【特許請求の範囲】
【請求項１】
文書データを記憶する記憶部を備え、該記憶部に記憶した文書データのうち、掲示が指示された文書データを電子掲示板に掲示して閲覧を受付ける通信装置において、
掲示が指示された文書データの閲覧依頼先に関する指示を受付ける受付手段と、
該受付手段が受付けた指示に基づく閲覧依頼先に閲覧依頼通知を送信する送信手段と
を備えることを特徴とする通信装置。
【請求項２】
閲覧依頼通知が送信された閲覧依頼先及び送信されない非閲覧依頼先からの前記掲示が指示された文書データの閲覧を受付けるように構成されていることを特徴とする請求項１記載の通信装置。
【請求項３】
掲示が指示された文書データに対する閲覧依頼先の閲覧状況に関する閲覧状況情報を記憶する閲覧状況記憶部と、
閲覧依頼先からの前記文書データの閲覧を受付けた場合、閲覧状況情報を更新する更新手段と
を備えることを特徴とする請求項１又は２記載の通信装置。
【発明の詳細な説明】
【技術分野】
【０００１】
本発明は、文書データを記憶する記憶部を備え、該記憶部に記憶した文書データのうち、掲示が指示された文書データを電子掲示板に掲示して閲覧を受付ける通信装置に関する。
【背景技術】
【０００２】
ファクシミリ装置又はファクシミリ機能を備えた複合機などの通信装置は、電話回線網を介して画データを送受信する。また、ファクシミリ装置又は複合機の中には、画データを電子メールに添付し、インターネット又はインターネットと同様の通信プロトコルを用いた社内ＬＡＮなどの通信ネットワークを介して、画データを送受信することが可能なものもある。
【０００３】
画データを電子メールに添付して送受信する場合、電子メールの送受信機能を有するコンピュータとの間で画データの送受信を行うことが可能になる。この場合、送信元コンピュータから複数の送信先コンピュータに同一電子メールを送信する場合（例えば、特許文献１参照）と同様に、ファクシミリ装置又は複合機から複数コンピュータに同一画データを送信することが可能である。
【特許文献１】特開２００１−２９０７４３号公報
【発明の開示】
【発明が解決しようとする課題】
【０００４】
しかし、画データを電子メールに添付して送信する場合、通信データのファイルサイズは、一般的なテキスト文書のみの電子メールに比べて非常に大きくなる。そのため、画データの送信には長時間を必要とする。送信する相手が多数の場合、送信時間はさらに長くなる。また、送信時間の問題に加えて、画データの送信によってネットワークのトラフィックが増加するという問題も生じる。
【０００５】
本発明は斯かる事情に鑑みてなされたものであり、文書データ（画データ）を掲示する際に、受付けた閲覧依頼先に対して閲覧依頼通知を送信することにより、画データの送信によるネットワークのトラフィックを抑制できる通信装置を提供することを目的とする。
【０００６】
また、本発明は、電子掲示板などに文書データを掲示する際に、特定の閲覧依頼先に対して前記文書データの閲覧依頼通知を送信することにより、希望する相手の確実な閲覧を図ることができる通信装置を提供することを他の目的とする。
【０００７】
また、本発明は、閲覧依頼先からの前記掲示が指示された文書データの閲覧を受付けた場合に、閲覧状況情報を更新することにより、各閲覧依頼先の閲覧状況を確認することが可能になる通信装置を提供することを他の目的とする。
【課題を解決するための手段】
【０００８】
第１発明に係る通信装置は、文書データを記憶する記憶部を備え、該記憶部に記憶した文書データのうち、掲示が指示された文書データを電子掲示板に掲示して閲覧を受付ける通信装置において、掲示が指示された文書データの閲覧依頼先に関する指示を受付ける受付手段と、該受付手段が受付けた指示に基づく閲覧依頼先に閲覧依頼通知を送信する送信手段とを備えることを特徴とする。
【０００９】
第２発明に係る通信装置は、第１発明において、閲覧依頼通知が送信された閲覧依頼先及び送信されない非閲覧依頼先からの前記掲示が指示された文書データの閲覧を受付けるように構成されていることを特徴とする。
【００１０】
第３発明に係る通信装置は、第１又は第２発明において、掲示が指示された文書データに対する閲覧依頼先の閲覧状況に関する閲覧状況情報を記憶する閲覧状況記憶部と、閲覧依頼先からの前記文書データの閲覧を受付けた場合、閲覧状況情報を更新する更新手段とを備えることを特徴とする。
【００１１】
第１発明においては、掲示が指示された文書データの閲覧依頼先に関する指示を受付手段で受付け、送信手段から前記指示に基づく閲覧依頼先に閲覧依頼通知を送信する。閲覧依頼通知には、閲覧依頼のメッセージ及び掲示が指示された文書データのアドレス情報などが含まれている。閲覧依頼通知の送信先は、受取った閲覧依頼通知に従って、前記掲示が指示された文書データにアクセスして閲覧を行う。
【００１２】
第２発明においては、前記掲示が指示された文書データの閲覧を、閲覧依頼通知が送信された閲覧依頼先及び送信されない非閲覧依頼先から受付ける。例えば、電子掲示板（以下、掲示板）に文書データを掲示してネットワーク内で公開すると共に、特定の閲覧依頼先に関しては前記文書データの閲覧依頼通知を送信する。
【００１３】
第３発明においては、掲示が指示された文書データに対する閲覧依頼先の閲覧状況に関する閲覧状況情報が閲覧状況記憶部に記憶されており、閲覧依頼先から前記掲示が指示された文書データの閲覧を受付けた場合、更新手段で閲覧状況情報を更新する。各閲覧依頼先の前記文書データの閲覧状況は、閲覧状況情報にアクセスすることで把握できる。
【発明の効果】
【００１４】
第１発明によれば、掲示が指示された文書データの閲覧依頼先を受付手段で受付け、送信手段から前記受付けた閲覧依頼先に閲覧依頼通知を送信しているため、閲覧依頼先は例えば受取った閲覧依頼通知が指示するアドレスにアクセスして文書データを閲覧する。文書データが画データの場合、主にテキストデータで構成された閲覧依頼通知を送信することにより、画データの送信によるネットワークのトラフィックを抑制できる。
【００１５】
第２発明によれば、閲覧依頼通知が送信された閲覧依頼先及び送信されない非閲覧依頼先から、掲示が指示された文書データの閲覧を受付けることにより、例えば掲示板に文書データを掲示してネットワーク内で公開すると共に、特定の閲覧依頼先に関しては閲覧依頼通知を送信できる。文書データを掲示板に掲示しただけでは、希望する相手が必ず閲覧する保証は無いが、閲覧依頼通知を送信することにより、希望する相手の確実な閲覧を図ることができる。
【００１６】
第３発明によれば、掲示が指示された文書データに対する閲覧依頼先の閲覧状況情報を、閲覧依頼先から前記文書データの閲覧を受付けた場合に更新手段で更新しているため、閲覧状況情報に基づいて各閲覧依頼先の閲覧状況を確認することができる。
【発明を実施するための最良の形態】
【００１７】
以下、本発明をその実施の形態を示す図面に基づいて具体的に説明する。本実施の形態では、通信装置として、ファクシミリ，イメージスキャナ及びプリンタの機能を有する複合機を例にして説明を行う。
【００１８】
図１は本発明に係る複合機（通信装置）が接続された通信ネットワークの構成を示すブロック図である。複合機１０は、社内ＬＡＮなどの内部ネットワーク３０に接続されている。内部ネットワーク３０には、コンピュータ３４が接続されているが、図１の例では４台のコンピュータ３４ａ，３４ｂ，３４ｃ，３４ｄが接続されている。また、複合機１０は、電話回線網又はインターネットなどの外部ネットワーク３２に接続されている。
【００１９】
図２は本発明に係る複合機の構成を示すブロック図である。複合機１０は、主制御部１１、表示部１２、操作部１３、読取部１４、記録部１５、コーデック１６、変換部１７、モデム１８、ＮＣＵ（Network Control Unit）１９、ＬＡＮインタフェイス２０、画像メモリ２１、ＲＯＭ２２、ＲＡＭ２３及び蓄積部２４を備え、夫々バス２９に接続されている。複合機１０の前記各部１２〜２４は主制御部１１によって制御される。
【００２０】
表示部１２は、ＬＣＤ（液晶表示装置）又はＣＲＴディスプレイ等の表示装置であり、主制御部１１の制御により、複合機１０の動作状態の表示などを行う。操作部１３は、複合機１０に対する操作入力を受付ける操作装置であり、スタートキー、ストップキー、テンキー、短縮ダイヤルキー及びファンクションキー等の各種キーを備えている。なお、タッチパネル方式の表示部１２を用いることにより、操作部１３の各種キーの一部又は全部を代用することも可能である。
【００２１】
モデム１８は、ファクシミリ通信が可能なファックスモデムであり、バス２９及びＮＣＵ１９と接続されている。ＮＣＵ１９は、外部ネットワーク３２と接続されており、必要に応じてモデム１８を外部ネットワーク３２と接続し、外部ネットワーク３２に接続された外部通信装置（図示せず）との間でファクシミリ通信などのデータ送受信を行う。ＬＡＮインタフェイス２０は、複合機１０を内部ネットワーク３０と接続するためのインタフェイスであり、内部ネットワーク３０に接続されたコンピュータ３４との間で電子メールなどのデータ送受信を行う。
【００２２】
ＲＯＭ２２は、主制御部１１が実行する種々のプログラム及びデータなどを格納しており、主制御部１１は、ＲＯＭ２２に格納されたプログラムを実行して複合機１０各部の制御を行う。ＲＡＭ２３は、ＳＲＡＭ又はフラッシュメモリ等で構成され、主制御部１１がプログラムを実行する際に使用する一時的なデータ又は各種設定データ等を記憶する。ＲＡＭ２３をフラッシュメモリで構成した場合、複合機１０の各種設定データなどを電源切断時も保持できる。
【００２３】
読取部１４は、例えばＣＣＤ（Charge Coupled Device）を備えたイメージスキャナであり、原稿を読取って画データを出力する。画像メモリ２１は、ＤＲＡＭ等で構成され、読取部１４が読取った原稿の画データを記憶する。また、画像メモリ２１は、内部ネットワーク３０又は外部ネットワーク３２を介してＬＡＮインタフェイス２０又はＮＣＵ１９が受信した画データを記憶する。また、画像メモリ２１に記憶された画データを、ＬＡＮインタフェイス２０又はＮＣＵ１９から送信することも可能である。記録部１５は、電子写真方式のプリンタであり、画像メモリ２１に記憶された画データを、記録紙に記録する。
【００２４】
コーデック１６は、ファクシミリ送信する画データの符号化及びファクシミリ受信した画データの復号などの符号化及び復号を行う。変換部１７は、ファクシミリ送信を行う画データ形式から電子メール形式への変換及び電子メール形式からファクシミリ受信する画データ形式への変換などのデータ変換を行う。
【００２５】
蓄積部（記憶部）２４は、読取部１４で読取った画データ又はファクシミリ受信した画データなどを蓄積する。例えば画像メモリ２１に記憶された画データが、主制御部１１の制御によって、蓄積部２４に蓄積される。主制御部１１は、蓄積部２４に対する画データの蓄積又は消去などの制御、及び、画データへのアクセス制御などの画データに関する制御を行っており、画データの制御に用いる管理データを作成し、蓄積部２４に蓄積している。蓄積部２４の画データへのアクセス制御は、コンピュータ３４を使用するユーザの識別情報に基づいて行ったり、コンピュータ３４の識別情報に基づいて行うことが可能である。蓄積部２４として、フラッシュメモリ又はハードディスク装置を用いることが可能である。
【００２６】
また、複合機１０はＨＴＴＰサーバ機能を有し、コンピュータ３４はＨＴＴＰクライアント機能を有している。複合機１０のＲＯＭ２２又は蓄積部２４にはＨＴＭＬデータが格納されており、またコンピュータ３４はＨＴＭＬデータを閲覧する閲覧ソフトが動作可能であり、コンピュータ３４から複合機１０にアクセスして、インターネットと同様にＨＴＭＬデータの閲覧を行うことが可能である。例えば、複合機１０は、掲示が指示された文書データ（画データ）を掲示板（ＨＴＭＬデータ）に掲示してコンピュータ３４からの閲覧を受付けることが可能である。また、ＨＴＭＬデータに含まれる入力部分又は選択部分に対する入力データ又は選択データを、コンピュータ３４から複合機１０に送信することも可能である。
【００２７】
図３及び図４は、ＨＴＭＬデータの例を示す図である。図３は、蓄積部２４に蓄積された画データの確認、及び、画データに対する処理の指示に用いる受信ボックスページの例であり、ＲＯＭ２２又は蓄積部２４に記憶された受信ボックスページの雛型ＨＴＭＬデータと、蓄積部２４に記憶された管理データとに基づいて、主制御部１１によって作成され、ＬＡＮインタフェイス２０から例えばコンピュータ３４ａへ送信される。ただし、主制御部１１が管理データに基づいてアクセス拒否と判定した場合は、送信されない。また、例えばコンピュータ３４ａ側で受信ボックスページに対して行われた操作は、コンピュータ３４ａからＬＡＮインタフェイス２０に送信され、主制御部１１によって、操作内容に応じて管理データを更新したり、操作に応じた処理（例えば、他のＨＴＭＬページを作成してコンピュータ３４ａへ送る）を行う。
【００２８】
図４は、掲示板に関する設定を行う掲示ページの例であり、ＲＯＭ２２又は蓄積部２４に記憶された掲示ページの雛型ＨＴＭＬデータと、蓄積部２４に記憶された管理データとに基づいて、主制御部１１によって作成され、ＬＡＮインタフェイス２０から例えばコンピュータ３４ａへ送信される。ただし、主制御部１１が管理データに基づいてアクセス拒否と判定した場合は、送信されない。また、コンピュータ３４ａ側で掲示ページに対して行われた操作は、コンピュータ３４ａからＬＡＮインタフェイス２０に送信され、主制御部１１によって、操作内容に応じて管理データを更新したり、操作に応じた処理（例えば、通知をコンピュータ３４ｂ、３４ｃに送信する）を行う。
【００２９】
ＬＡＮインタフェイス２０は、例えばコンピュータ３４ａから、文書データの掲示指示と、掲示が指示された文書データの閲覧依頼先に関する指示とを受付ける手段（受付手段）、及び、受付けた閲覧依頼先に閲覧依頼通知を送信する手段（送信手段）として動作する。例えば、コンピュータ３４ａから閲覧依頼先としてコンピュータ３４ｂ、３４ｃを受付けた場合、主制御部１１の制御により、ＬＡＮインタフェイス２０からコンピュータ３４ｂ、３４ｃに閲覧依頼通知を送信する。なお、閲覧依頼通知の送信は、電子メールの送信と同様に、例えば複合機１０の蓄積部２４内にユーザ毎の蓄積領域を設定しておき、閲覧依頼通知を送信先ユーザの蓄積領域に蓄積し、各ユーザが複合機１０にアクセスして自身宛ての閲覧依頼通知を受信することが可能である。また、掲示が指示された文書データの閲覧は、閲覧依頼通知が送信された閲覧依頼先及び送信されない非閲覧依頼先の両方から受付ける。
【００３０】
また、蓄積部（閲覧状況記憶部）２４には、掲示が指示された文書データに対する閲覧依頼先の閲覧状況に関する閲覧状況情報が記憶される。本実施の形態においては、閲覧状況情報は管理データに含まれている。主制御部１１は、閲覧依頼先からの前記掲示が指示された文書データの閲覧を受付けた場合、閲覧状況情報を更新する手段（更新手段）として動作する。
【００３１】
次に、複合機１０が受付けた画データを、内部ネットワーク３０のコンピュータ３４に掲示板形式で公開する場合を例にして、複合機１０の動作を説明する。なお、コンピュータ３４ａのユーザ名をユーザＡとし、コンピュータ３４ｂ，３４ｃ，３４ｄの各ユーザ名を夫々ユーザＢ，Ｃ，Ｄとしている。また、本説明では、ユーザＡが読取部１４で読取った画データの掲示をユーザＡが指示するものとする。
【００３２】
複合機１０は、モデム１８及びＮＣＵ１９でファクシミリを受信したり、ＬＡＮインタフェイス２０で電子メールを使用したファクシミリを受信したり、読取部１４で原稿を読取る。受信したファクシミリの画データ及び読取った原稿の画データは、主制御部１１の制御によって、画像メモリ２１に記憶された後、蓄積部２４に蓄積される。また、画データの蓄積に伴って、蓄積部２４の管理データが主制御部１１によって更新される。例えば、主制御部１１は、蓄積部２４に蓄積する画データに識別番号を割り当て、識別番号、ページ数、送信元に関する情報及び受信日時などを管理データに追加する。
【００３３】
ユーザＡ（コンピュータ３４ａ）が受信ボックスページにアクセスしようとした場合、主制御部１１は、アクセス要求元の識別情報に基づいてアクセスの許可又は拒否を判定し、判定結果が許可の場合は、ＲＯＭ２２又は蓄積部２４の雛型ＨＴＭＬデータと蓄積部２４の管理データとに基づいて、アクセス要求元に対応する受信ボックスページを作成してＲＡＭ２３に記憶し、ＲＡＭ２３に記憶した受信ボックスページをＬＡＮインタフェイス２０からコンピュータ３４ａへ送信する。
【００３４】
コンピュータ３４ａの表示画面には、図３に示した受信ボックスページが表示される。受信ボックスページは、蓄積部２４に蓄積されている文書（画データ）のリストが表示されており、各文書にはチェックボックス５４が設けられており、チェックボックス５４をクリックしてチェックを入れることで、文書を選択することができる。図の例では、スキャン文書０３１０２４−００１２が選択されている。
【００３５】
また、リストの各文書には表示ボタン５６が設けられており、表示ボタン５６がクリックされた場合、クリックされた表示ボタン５６に対応する文書の画データが受信ボックスページ下部に表示される。表示ボタン５６は画データに関連付けられており、例えばスキャン文書０３１０２４−００１２の表示ボタン５６がクリックされた場合、スキャン文書０３１０２４−００１２の画データがコンピュータ３４ａから複合機１０に要求され、ＬＡＮインタフェイス２０で要求を受付けた主制御部１１は、蓄積部３４からスキャン文書０３１０２４−００１２の画データを読み出して、ＬＡＮインタフェイス２０からコンピュータ３４ａへ送信する。
【００３６】
また、受信ボックスページの上部には、選択した文書に行う処理を選択するリストボックス５０、及び、リストボックス５０で選択した処理の実行を指示する実行ボタン５２が設けられている。リストボックス５０により、選択した文書の送信、消去又は掲示などの処理を選択できる。実行ボタン５２がクリックされた場合、リストボックス５０の選択内容及び文書の選択内容等がコンピュータ３４ａから複合機１０へ送信される。図の例では、スキャン文書０３１０２４−００１２の掲示（掲示板に載せる）が選択されたことが複合機１０に送られる。
【００３７】
スキャン文書０３１０２４−００１２の掲示が選択されたことをＬＡＮインタフェイス２０で受付けた主制御部１１は、ＲＯＭ２２又は蓄積部２４の雛型ＨＴＭＬデータと蓄積部２４の管理データとに基づいて、掲示ページを作成してＲＡＭ２３に記憶し、ＲＡＭ２３に記憶した掲示ページをＬＡＮインタフェイス２０からコンピュータ３４ａへ送信する。
【００３８】
コンピュータ３４ａの表示画面には、図４に示した掲示ページが表示される。掲示ページは、掲示板のタイトルを入力するタイトル入力ボックス６４、コメントを入力するコメント入力ボックス６６、掲示板の閲覧依頼を通知する通知先（閲覧依頼先）を選択する選択リスト６８、掲示の実行を指示する掲示ボタン６０、及び、掲示を取り消す取り消しボタン６２などが設けられている。選択リスト６８には、他のユーザ（ユーザＢ、ユーザＣ、ユーザＤ）が表示されており、図の例ではユーザＢ、Ｃが選択されている。掲示ボタン６０がクリックされた場合、タイトル入力ボックス６４及びコメント入力ボックス６６の入力内容及び選択リスト６８の選択内容などの掲示情報がコンピュータ３４ａから複合機１０へ送信される。
【００３９】
ＬＡＮインタフェイス２０で掲示情報を受付けた主制御部１１は、ＲＯＭ２２又は蓄積部２４に記憶されている雛型ＨＴＭＬデータ及び受付けた掲示情報に基づいて、例えば選択されたスキャン文書０３１０２４−００１２の画データを表示する掲示板ページを作成し、ＲＡＭ２３又は蓄積部２４に記憶する。
【００４０】
また、ＬＡＮインタフェイス２０で掲示情報を受付けた主制御部１１は、ＲＯＭ２２又は蓄積部２４に記憶されている雛型メッセージ及び受付けた掲示情報に基づいて、例えば選択されたユーザＢ、Ｃに閲覧依頼通知を送信する。閲覧依頼通知は、掲示板ページのアドレス及び閲覧依頼メッセージを含み、例えば電子メールで送信したり、インスタントメッセージを使用することが可能である。また、主制御部１１は、管理データを更新して、ユーザＢ、Ｃに閲覧依頼通知を送信したことを記録する。
【００４１】
閲覧依頼通知を受信したユーザＢ、Ｃは、通知内容に従って、掲示板ページにアクセスする。ユーザＢ、Ｃ（コンピュータ３４ｂ、３４ｃ）から掲示板ページへのアクセス要求をＬＡＮインタフェイス２０で受付けた主制御部１１は、ＲＡＭ２３又は蓄積部２４に記憶した掲示板ページを読み出し、ＬＡＮインタフェイスからコンピュータ３４ｂ、３４ｃへ送信する。これにより、ユーザＢ、Ｃは掲示板ページのスキャン文書０３１０２４−００１２の画データを閲覧する。
【００４２】
また、ユーザＢ、Ｃから掲示板の閲覧要求を受付け、掲示板ページを送信した主制御部１１は、管理データを更新して、ユーザＢ、Ｃの閲覧が完了したことを記録する。また、コンピュータ３４ａからの閲覧確認要求をＬＡＮインタフェイス２０で受付けた場合、主制御部１１は、管理データから閲覧状況を取得し、取得した閲覧状況をＬＡＮインタフェイス２０からコンピュータ３４ａへ送信する。
【００４３】
図５（ａ）及び（ｂ）は、掲示の通知及び閲覧の概略を示す図である。上述した説明では、図５（ａ）に示すように、ユーザＡ（コンピュータ３４ａ）からの掲示指示（閲覧依頼先の指示も含む）に応じて、ユーザＢ、Ｃ（コンピュータ３４ｂ、３４ｃ）に通知が送られ、図５（ｂ）に示すように、コンピュータ３４ｂ、３４ｃから複合機１０へアクセスして前記通知に応じた掲示板（画データ）を閲覧する。ただし、掲示板は内部ネットワーク３０内で公開されており、図５（ｂ）に示すように、通知が無かったユーザＤ（コンピュータ３４ｄ）が閲覧することもできる。ユーザＤによる閲覧は、ユーザＢ、Ｃと同様に行われるが、通知が行われていないため、閲覧状況に関する管理データの更新は行われない。また、ユーザＡ（コンピュータ３４ａ）は、複合機１０にアクセスして閲覧状況の確認を行うことができ、閲覧が完了していないユーザに対しては、ユーザＡから個別に連絡を行うこと等ができる。
【００４４】
主にテキストデータで構成された閲覧依頼通知を送信することにより、閲覧依頼通知の配信時におけるネットワークのトラフィックを低減できると共に、各閲覧依頼先による画データの閲覧タイミングを分散させて、画データの送信によるネットワークのトラフィックを抑制できる。また、掲示板に掲示しただけでは、希望する相手が必ず閲覧する保証は無いが、閲覧依頼通知を送信することにより、希望する相手の確実な閲覧を図ることができる。また、閲覧依頼先の閲覧状況を管理データに記録しているため、希望する相手の閲覧状況を確認することができる。
【００４５】
上述した実施の形態においては、読取部１４で読取った画データ又はファクシミリ受信した画データなどのイメージデータ形式の文書を掲示板に載せる場合を例にして説明したが、ＨＴＴＰサーバ及びＨＴＴＰクライアントではテキストデータなどの文字データ形式の文書を閲覧できるため、テキストデータを掲示板に載せることも勿論可能である。また、テキストデータと共に写真又はイラストなどのグラフィックデータを掲示板に載せることも可能である。
【図面の簡単な説明】
【００４６】
【図１】本発明に係る複合機（通信装置）が接続された通信ネットワークの構成を示すブロック図である。
【図２】本発明に係る複合機の構成を示すブロック図である。
【図３】ＨＴＭＬデータの例を示す図である。
【図４】ＨＴＭＬデータの例を示す図である。
【図５】掲示の通知及び閲覧の概略を示す図である。
【符号の説明】
【００４７】
１０  複合機
１１  主制御部
１８  モデム
１９  ＮＣＵ
２０  ＬＡＮインタフェイス
２１  画像メモリ
２３  ＲＡＭ
２４  蓄積部
３０  内部ネットワーク
３２  外部ネットワーク
３４  コンピュータ
【図１】
2005151246.tif 000003
【図２】
2005151246.tif 000004
【図３】
2005151246.tif 000005
【図４】
2005151246.tif 000006
【図５】
2005151246.tif 000007